(57)【要約】本発明は、製品を噴霧するためのノズルに関する。このノズルは、円柱円錐状の本体（１０）を備え、この本体は、軸方向のチャネル（１２）を有し、このチャネルは、その上部端部が横手壁（１８）によって規定され、そしてこの横手壁は、噴霧開口部（２０）を備える。軸方向のコア（２４）は、チャネル（１２）に配置され、そしてその上部端部（２４Ａ）は、横手壁（１８）に対向して配置され、それとともに噴霧チャンバ（２１）を規定する。チャネルの下部端部（１２Ｂ）と噴霧チャンバとの間の連絡は、コアとチャネル壁との間に提供され、そして下部端部は、噴霧される製品を含むリザーバと連絡し得る。コア（２４）は、捕捉フランジ（２６）を形成する手段を含み、この手段は、捕捉縁（２８）を有し、その捕捉縁は、コアの下部末端に向けて指向され、そのチャネル中にコアを維持するためにチャネル壁（１３）と協働する。
2005528214.tif 000002
【特許請求の範囲】
【請求項１】
製品の噴霧のためのノズルであって、該ノズルは：
軸方向のチャネルを有する円柱円錐状の本体（１０）を備え、該チャネルの第一端部（１２Ａ）は、横手壁（１８）によって規定され、該横手壁は噴霧用オリフィス（２０）を備え、該チャネルの第二端部（１２Ｂ）は、リザーバと連絡するように適合されており、該ノズルは、さらに、該チャネル（１２）中に配置された軸方向のコア（２４）を備え、該チャネルの第一端部（２４Ａ）は、該横手壁（１８）に相対して配置され、そして該横手壁によって噴霧チャンバ（２１）が規定され、そして該チャンバの第二端部（２４Ｂ）は、該チャネルの第二端部（１２Ｂ）の横手に配置され、そして噴霧チャンバが該コア（２４）と該チャネル（１２）の壁（１３）との間で取り扱われ、
ここで、該コア（２４）が捕捉用縁（２８）を有する捕捉フランジ（２６）を形成する手段を有し、そして該チャネル中に該コアを保持するために該チャネル（１２）の該壁（１３）と協働することを特徴とする、ノズル。
【請求項２】
前記捕捉フランジを形成する手段が、少なくとも溝（２７）によって規定される環状のフランジ（２６）の領域で形成される、請求項１に記載のノズル。
【請求項３】
前記チャネルが、捕捉部分（１２Ｃ）および導入部分（１２Ｄ）を有し、該捕捉部分とともにフランジ形成手段が協働し、そして該捕捉部分において該チャネルの直径サイズが該手段の直径サイズよりも短く、該導入部分は、該捕捉部分（１２Ｃ）と、該チャネルの第二端部（１２Ｂ）との間でのび、そして該導入部分において、該チャネルの直径サイズが少なくとも該フランジ形成手段の直径サイズとほぼ同じであることを特徴とする、請求項１または２に記載のノズル。
【請求項４】
前記コアが軸方向範囲を形成する手段（３０）を有し、該軸方向範囲形成手段は、前記チャネルの壁と協働することを特徴とする、請求項１〜３のいずれか１項に記載のノズル。
【請求項５】
前記コア（２４）が、溝（２７）によって規定される半径方向の突起中に少なくとも１つの円柱状の部分（３０）を有することを特徴とする、請求項４に記載のノズル。
【請求項６】
前記環状フランジ（２６）の部分は、円柱部分（３０）の端部に配置された支え壁によって形成され、該円柱は、コア（２４）の第二端部（２４Ｂ）に向けて指向されることを特徴とする、請求項２〜５に記載のノズル。
【請求項７】
前記噴霧チャンバ（２１）が前記本体（１０）の前記横手壁（１８）と、該壁に対して留められる前記コア（２４）の第一端部（２４Ａ）との間に規定される空洞によって形成され、該空洞は、少なくとも１つの非半径方向溝（２１Ａ）を備え、該非半径方向溝は、該コア（２４）の第一端部または該横手壁（１８）の中に形成されることを特徴とする、請求項１〜６のいずれか１項に記載のノズル。
【請求項８】
前記第二端部（２４Ｂ）において、前記コア（２４）が、減じられた直径の端部の部分（２４Ｂ）を有し、該部分の周囲は、環状空間が前記チャネル内において規定されることを特徴とする、請求項１〜７のいずれか１項に記載のノズル。
【請求項９】
前記端部部分（２４Ｂ）は、突起の形状の軸方向のウイング（２５）を有することを特徴とする、請求項８に記載のノズル。  
【請求項１０】
前記コア（２４）がその第二部分において削がれていることを特徴とする、請求項１〜９のいずれか１項に記載のノズル。
【請求項１１】
前記チャネル（１２）の壁（１３）が前記チャネルの第二端部（１２Ｂ）の付近にある支え壁（１３Ａ）に存在し、前記コア（２４）が該チャネルの第二端部にむけて、該支え壁を越えてのびることを特徴とする、請求項１〜１０のいずれか１項に記載のノズル。
【請求項１２】
請求項１〜１１のいずれか１項に記載のノズルとリザーバの接続のための環状ステム（２２）とのアセンブリであって、前記チャネル（１２）の第二端部（１２Ｂ）は、該環状ステム（２２）の上に配置され、そして該コア（２４）の該第二端部（２４Ｂ）は該ステム（２２）と係合する、アセンブリ。
【請求項１３】
前記コア（２４）の第二端部（２４Ｂ）は、ステム（２２）の内側周囲とともに軸方向の範囲で接触していること、および少なくとも循環経路（２３，１２３）該第二端部と該内側周囲との間で実現される、請求項１２に記載のアセンブリ。
【請求項１４】
請求項９に記載のノズルを有する請求項１３に記載のアセンブリであって、前記ウイング（２５）は、前記ステム（２２）の内側周囲と協働し、そして該ウイングの中の空間（２３）は、循環経路（ｇｏｒｇｅ）を形成する、アセンブリ。
【請求項１５】
前記循環経路は、ステム（１２２）の内側周囲の少なくとも１つの溝（１２３）によって形成される、請求項１３に記載のアセンブリ。
【発明の詳細な説明】
【技術分野】
【０００１】
本発明は、軸方向のチャネルを有する円柱円錐形態の本体を備える製品の噴霧のためのノズルに関する。ここで、この軸方向のチャネルの第一端部は、横手の壁によって規定されており、この横手壁は、噴霧オリフィスを備え、そしてこの軸方向のチャネルの第二端部は、リザーバと連絡するよう適合されている。このノズルは、さらに、チャネルの中に配置される軸方向のコアを備え、そのチャネルの第一端部は、その横手壁に相対して配置され、そして最後のものとともに噴霧チャンバを規定し、そしてチャネルの第二端部は、チャネルの第二端部の側に配置される。この第二端部と噴霧チャンバとの間の連絡は、コアとチャネルの壁との間で実現される。
【背景技術】
【０００２】
例えば、鼻腔内に液状医薬製品を射出するよう作用するタイプのノズルは公知である。
【０００３】
圧力下でリザーバの出口は、例えば、弁またはポンプのステムによって形成され、その弁またはポンプのステムの上では、チャネルの第二端部が、そのチャネル内でノズル上の支えがリザーバ内に含まれる製品の遊離を引き起こすように係合され得る。
【０００４】
このコアの存在により、部分的に、チャネルの内部でのデッドボリュームを減少させることが可能となり、その結果、ノズルの動作の際、リザーバから出てくる製品を有効に排出するためのチャネル内の圧力を非常に迅速に増大させることが可能となる。これにより、同時に、品質を非常に劣化させ得る、チャネル内のかなりの量の製品の沈滞を回避することができる。
【０００５】
さらに、コアは、本体の横手壁とともに噴霧チャンバを規定するよう作用する。
【０００６】
この噴霧チャンバの形状の規定は、非常に正確であらねばならない。なぜなら、形状は、製品の噴霧の品質にしばしば影響を与えるからである。例えば、噴霧の際に渦巻き運動を行うことができ、その場合、製品は、排出チャンバ、渦巻きの流れに従って、この排出チャンバ内に進入せねばならず、渦巻き成分は、製品の排出の際に噴霧開口部によって保存される。
【発明の開示】
【発明が解決しようとする課題】
【０００７】
従って、コアは、噴霧チャンバの形状を正確に規定するような様式で、チャネルに関して正確に配置され、特に、本体の横手壁に関して配置されることが重要である。
【０００８】
一般に、コアは、細長い片であり、そしてその長さは製造耐性に従って変動し得る。長さの変動は、コアの悪い配置を生じ得、従って噴霧の品質を損ない得る。
【課題を解決するための手段】
【０００９】
本発明は、この欠点を改善することを目的としており、その結果、それが存在するチャネルと比べてコアの位置を改善する。
【００１０】
この目的は、捕捉縁を有するコアが捕捉フランジを形成する手段を有することによって達成された。この捕捉縁は、コアの第二端部に向けて指向し、そしてそのチャネル内でコアを保持するためのチャネルの壁と共に協働する。
【００１１】
このように、ノズルの組み立てのときに、コアは、通常円柱円錐状の本体のチャネル内に挿入され、チャネルの第一端部の横手壁に向けて、このチャネルの第二端部から押される。捕捉フランジを形成する手段の捕捉縁は、コアの第二端部に向けて指向し、この圧力は、邪魔にならない。このようなことは、チャネル内の進行が停止する最終的な位置にコアが達するときのみである。この最終的な位置において、コアは、フランジを形成する手段の捕捉縁のおかげでチャネルの内部を捕捉する。コアは、ノズルの最初の使用のためにこのようにして首尾よく配置される。さらに、このコアは、その位置がノズルを複数回使用したときにも変動せず、そして噴霧の品質が時間の経過と共に変化しないままであるように定位置で完璧に維持される。
【００１２】
十分に理解されるように、捕捉フランジを形成する手段は、チャネルの第二端部と噴霧のチャンバとの間の連絡を保持する様式で実現される。
【００１３】
このようにして、有利には、噴霧チャンバが、本体の横手壁とコアの第一端部との間を規定する溝によって形成し、この壁に対してとどまり、この空洞は、コアの第一端部においても横手壁においても半径方向には施されない少なくとも１つの溝を備える。
【００１４】
有利には、捕捉フランジを形成する手段は、溝によって規定される環状フランジの少なくとも１つの部分によって形成される。
【００１５】
例えば、フランジ形成手段のあちこちに、チャネルの第二端部と噴霧チャンバとの間の連絡が、上記チャネルの壁とコアとの間の空間によって形成される。この連絡部分は、同様に上記溝を備える。
【００１６】
有利には、フランジを形成する手段は、少なくとも２または３の溝を構成する様式で複数の部分を有し、これらの部分は、リザーバから噴霧チャンバまで、製品の分配を均一に保持するような様式で、等距離および等角度で存在する。
【００１７】
１つの有利な実施形態によれば、上記チャネルは捕捉部分および導入部分を有し、この捕捉部分は、フランジと協働し、そしてその捕捉部分において、チャネルの直径のサイズは、そのフランジの直径サイズよりも短く、そしてこの導入部分は、捕捉部分とチャネルの第二端部との間にのび、そしてその導入部分において、チャネルの直径サイズは、フランジの
直径サイズと少なくともほぼ同じである。
【００１８】
上述のように、ノズルの組み立ての際、コアは、チャネルの第二端部によってチャネルに導入される。導入部分の全長において、およびこの部分におけるチャネルの直径サイズの都合の良い選択によって、コアの進行が容易になる。この進行がより困難になるのは、フランジが捕捉部分に領域中に到達したときのみであり、そしてフランジは、当然捕捉される。
【００１９】
有利には、コアは、チャネルの壁とともに協働する軸方向の範囲を形成する手段を有する。
【００２０】
例えば、コアは、溝によって規定される半径方向の突起中に円柱の少なくとも部分を有する。
【００２１】
このように、有利には、上記環状フランジの部分は、コアの第二端部に向けて指向される円柱の部分の端部において配置される支え壁によって形成される。
【００２２】
軸方向の範囲を形成するこの手段は、コアの長手方向の軸とチャネルの長手方向の軸との整列を容易にする。
【００２３】
有利には、コアは、その第二端部において、減じられた直径の端部の部分を有し、この部分において、環状空間がチャネル中において規定される。
【００２４】
チャネル内で規定されるこの環状空間は、リザーバに連結されたステム（特に、弁またはポンプのステム）の、チャネル内へおよびコアの第二端部の周囲へ導入を可能にする。
【００２５】
このように、有利には、チャネルの第二端部は、リザーバに連結された環状ステムにおいて配置され、そしてコアの第二端部は、そのステム中に係合される。
【００２６】
この場合、有利には、コアの第二端部は、ステムの内部周囲と軸方向の範囲で接触し、そして少なくとも１つの循環経路が第二端部とその内部周囲との間に形成される。
【００２７】
有利には、コアは、第二端部において削られる。
【００２８】
この削りは、斜面を形成し、これは、環状のステムが上記環状空間に導入されるとき、その導入を有利にする。
【００２９】
有利には、チャネルの壁は、そのチャネルの第二端部の付近にある支え壁を有し、そのコアは、チャネルの第二端部に向けて、この支え壁にのびる。
【００３０】
この支え壁は、特に、チャネルの内側付近の出口の管の位置を規定するように作用する。
【発明を実施するための最良の形態】
【００３１】
以下の詳細な説明、非限定的な実施例に代表される実施形態を読むことにより、本発明は、十分に理解され、そしてその利点は、より明らかになる。
【実施例】
【００３２】
図１に示されるノズルは、円柱円錐状本体１０を備え、この本体は、軸方向チャネル１２を有する。このチャネルは、円柱円錐状スカート１４によって取り囲まれており、そのスカートとともに、チャネルは、本体１０を形成するための唯一の片を実現する。内側空間１６は、チャネル１２の壁１３とスカート１４との間で形成される。
【００３３】
チャネルの第一端部１２Ａは、横手壁１８によって規定され、この横手壁は、噴霧の開口部２０を有する。この場合、この横手壁１８は、本体１０と一緒の単一片として形成される。
【００３４】
チャネル１２の第二端部１２Ｂは開いており、これにより、噴霧される前に製品を含むリザーバと連絡する。その直後に、チャネルが垂直に配置され、そしてその第一端部１２Ａおよび第二端部１２Ｂがそれぞれ上部端部および下部端部となると考えられる。
【００３５】
チャネルの下部端部１２Ｂは、リザーバと連結された環状ステム２２の上に配置される。特に、このステムは、圧力下またはポンプの下にあるリザーバと連結されたバルブの弁のステムであり得る。チャネル中のこのステムの位置は、支え壁１３Ａによって規定され、この支え壁は、チャネル壁１３を有し、その内部周囲においておよびそれと共に、ステム２２の自由端部２２Ａが留めるように協働する。
【００３６】
このステムは、外部周囲上にそれ自身、支え壁２２Ｂを有し、この支え壁は、支え壁２２Ｂと壁１３の自由端部との間の協働によって、チャネル中のステムの最大貫通位置を規定するように用いられることができる。
【００３７】
下部端部に向けて、スカート１４は、支え１４Ａの表面を有する（例えば、ウイングまたは容器において形成される）を有する。この支えは、弁を起動し、そしてリザーバ中に含まれる製品を同様に送達するために、低い方向にノズルを押すことを可能にする。
【００３８】
軸方向のコア２４は、チャネル２２において配置される。このコアの上部端部２４は、上記横手壁１８の内部面に相対して配置される。その下部端部２４Ｂは、チャネルの下部端部１２Ｂの付近に配置される。
【００３９】
コアは、捕捉フランジを形成する手段を有する。この手段は、チャネルの壁１３の内部周囲と協働することによってチャネルの内部への連結を維持する。
【００４０】
この場合、図３によりよく参照されるが、フランジ形成手段は、溝２７によって互いに分離される環状フランジ２６の３つの部分によって形成される。
【００４１】
フランジの各部分は、捕捉縁２８を備え、この縁がコアの内側端部２４Ｂに向けて指向することが理解される。
【００４２】
このようにして、この捕捉縁は、Ｆの向きで上向きへのコアの脱離より、チャネル中でコアの挿入に対して対向しない。その上表面において、フランジの部分は、傾いた斜面において特に適合される。
【００４３】
その代わり、いったんその捕捉縁がチャネルの代わりに使用されると、捕捉縁は、低い方向に向けてコアの脱離に対向するためにチャネルの壁１３に向けて内側面とともに協働する。
【００４４】
この捕捉は、コア２４が本体１０よりもさらに硬い材料で作製されるという事実によって容易にされ得る。例えば、コアは、ポリプロピレンで成型され、他方、本体は、ポリエチレンで成型される。
【００４５】
コアはまた、一旦それが最終的な位置に達すると、横手壁１８の内部面１８Ａとともに留められる上部端部２４Ａと協働することによって、Ｆの方向における脱離に関して保持される。
【００４６】
この最終的な位置において、フランジ形成手段２６は、捕捉部分１２Ｃを形成するチャネル部分中に存在する。実際、この場合、図３において明らかに示されているように、チャネルの直径サイズは、フランジ形成手段の直径サイズよりも短い。
【００４７】
このコアは、概して、環状部分において円柱の形態を有し、その直径は、フランジ部分の領域において、および同様に下部端部２４Ｂにおいて、変動する。
【００４８】
このチャネルは、さらに導入部分１２Ｄを備え、この導入部分中では、その直径サイズはフランジ形成手段の直径サイズと少なくともほぼ同じである。この導入部分は、チャネルの低い端部から捕捉部分１２Ｃまでのびる。
【００４９】
フランジ形成部分は、コアの上部端部２４Ａの付近に配置され、そこで、それら手段は、コアの全長の例えばほぼ３分の１または４分の１に対応する長さの距離に存在する。このチャネル１２は、上部部分１２Ｅに存在し、この上部部分は、捕捉部分１２Ｃからチャネルの上部端部までのび、そしてこれはまた、捕捉部分の直径サイズよりもわずかに短い直径サイズを有する。
【００５０】
連絡は、弁２２のステムから噴霧チャンバ２１まで出る液体の排出を許容するために、コアとチャネルの壁との間で形成される。この噴霧チャンバは、上部端部２４Ａと壁１８との間に形成される。
【００５１】
このように、チャネルの全長において、捕捉フランジ形成手段が配置される領域を除き、環状空間１１がコアとチャネル内部壁との間に形成される。上記溝２７は、このフランジ形成手段のこの領域において、この空間中の連絡の連続性を確立する。
【００５２】
コア２４は、軸方向の範囲を形成する手段を有する。この場合、この手段は、フランジとコアの上部端部２４Ａとの間に配置される。これら手段はまた、捕捉部分１２Ｃの領域においてチャネルの壁と協働する。この手段は、溝によって規定される半径方向の突起として少なくとも円柱３０の部分において形成される。
【００５３】
この場合、円柱３０の３つの部分が提供され、これらは、各々、環状フランジ２６の尾部分の軸方向延長部分においてのび、そして溝２７は、フランジのこの部分と、円柱のこの部分との間に軸方向にのびる。より正確には、環状フランジ２６の各々の部分は、支え壁によって形成される。この支え壁は、コアの第二端部２４Ｂに向けて指向される円柱３０の部分の端部に配置される。
【００５４】
実際、溝の領域２７中では、コアの直径サイズは、通常の直系サイズＤに戻る。
【００５５】
部分３０によって形成される軸方向範囲の手段は、コア上で、コアの壁１３の内部面に対して再配置される軸方向の壁の部分を規定し、そしてその軸方向の長さＩは、コアとチャネルとの間の軸方向の範囲の長さを形成する。チャネルに対するコアの整列を確実にするために、軸方向の範囲の補助手段は、以下に記載されており、非常に慣用されている。
【００５６】
チャンバ２１は、コアの上部端部２４Ａと、壁１８との間において限定される。図５において見られるように、この空洞は、非半径方向の溝２１Ａを備える。この溝は、この場合、壁１８の内面上に形成される。図５の断面図には可視的には示されていないが、噴霧開口部２１の位置がこの図において示され、コアとチャネルとの間において形成された環状空間と連絡する溝２１Ａの端部によってチャンバ２１中を貫通する噴霧された製品が開口部２１によって渦巻状の噴霧を可能にする渦巻状の運動により、このチャンバ中で動かされることが理解される。
【００５７】
このコアは、捕捉フランジ形成手段の存在によって正確に配置される。これら手段は、このコアを、チャネルの外での付着の脱離に対して、および予め規定された範囲の手段の脱離に対して保持される。
【００５８】
しかし、本発明の他の特徴は、コアの良好な配置を保障することを可能にする。実際、図１において見られるように、環状空間が、コアの下部端部２４Ｂの部分のまわりのチャネル中に規定される。環状ステム２２の上部端部は、この環状空間中に挿入されることができ、従ってこのステム２２中に端部２４Ｂのこの部分が挿入されることが理解される。
【００５９】
図１の実施例において、端部２４Ｂのこの部分は、減少した直径を有し、そして突起中の軸方向のウイング２５を有する。この突起は、コアの直径において最大の直径サイズを有する。
【００６０】
このウイングは、このステムの軸とコアの軸とを整列させるように環状ステム２２の内部周囲とともに協働する。
【００６１】
換言すれば、このウイングは、コアとステムの内部周囲との間の軸方向の範囲の手段を形成する。他方、環状経路（ｇｏｒｇｅｓ  ｄｅ  ｃｉｒｃｕｌａｔｉｏｎ）２３は、リザーバとチャンバとの間の連絡を可能にする様式で、このウイングとこの内部周囲との間の形成される。
【００６２】
チャネル中のステム２２の配置および必要に応じてコアの受容を容易にするために、その下部端部は、削られる。この場合、ウイングはこの削られた部分２３’を有する。
【００６３】
図６の別の実施形態は、図１の実施形態とは、環状ステム１２２の下部端部によって、コア２４の下部端部１２４Ｂの部分が適合するという点で異なる。実際、コアの直径は、流れる部分とは異なり、下部端部１２４Ｂの部分中では不変である。しかし、この部分１２４Ｂは、ステム１２２中に係合され、そしてこのステムの内部周囲と軸方向の範囲で接触する。循環経路は、このステムの内部周囲の溝１２３、コアの周囲と協働する溝の間に形成されるリブ１２３’によって形成され、上記軸方向の範囲の接触を実現する。
【００６４】
本発明を用いると、チャネルの下部におけるコアの位置は、完全に維持される。さらに、コアの軸およびチャネルの軸は、完全に整列され得る。このことにより、コアの上部面２４Ａの配置が可能になる。この上部面は、その軸に対して通常垂直であり、壁１８の下部面に対して支えの最適な位置に存在する。このように、チャネルに相対してコアの角張った位置の欠点なしに、コアの上部面によって実現されるチャネル２１Ａの部分的な閉塞が正確に実現される。このようにして、渦巻状の運動が、完全に保証される。
【００６５】
コアは、チャネルにおいて停止されるが、これは、フランジ形成手段の捕捉縁によってであり、そして弁のステムによってではない。この弁のステムは、より低い方向に向けた脱離に対して保存される。他方、このステムはノズルの本体とともに止め具として協働することから、リザーバ中に含まれる製品を噴霧するためのノズル上の圧力は、コアの軸方向の移動（ｓｏｌｌｉｃｉｔｅｒ）なしに、弁のステム上に直接運動する。
【図面の簡単な説明】
【００６６】
説明は、添付の図面を参照する。その図面において、
【図１】図１は、本発明に従うノズルの軸方向の断面図である。
【図２】図２、３、４および５は、図１のＩＩ−ＩＩ、ＩＩＩ−ＩＩＩ、ＩＶ−ＩＶおよびＶ−Ｖの線に沿ったそれぞれの断面である。
【図３】図２、３、４および５は、図１のＩＩ−ＩＩ、ＩＩＩ−ＩＩＩ、ＩＶ−ＩＶおよびＶ−Ｖの線に沿ったそれぞれの断面である。
【図４】図２、３、４および５は、図１のＩＩ−ＩＩ、ＩＩＩ−ＩＩＩ、ＩＶ−ＩＶおよびＶ−Ｖの線に沿ったそれぞれの断面である。
【図５】図２、３、４および５は、図１のＩＩ−ＩＩ、ＩＩＩ−ＩＩＩ、ＩＶ−ＩＶおよびＶ−Ｖの線に沿ったそれぞれの断面である。
【図６】図６は、図１のものの類似の断面図であり、別の実施形態を示す。
【図７】図７は、図６のＶＩＩ−ＶＩＩの線に沿った断面である。
【図１】
2005528214.tif 000003
【図２】
2005528214.tif 000004
【図３】
2005528214.tif 000005
【図４】
2005528214.tif 000006
【図５】
2005528214.tif 000007
【図７】
2005528214.tif 000008
【図６】
2005528214.tif 000009
【国際調査報告】
2005528214.tif 000010
2005528214.tif 000011
2005528214.tif 000012
2005528214.tif 000013